(57)【特許請求の範囲】
【請求項１】
前後面および両側面からなる周面と、上下面とを有するほぼ六面体状をなし、物品が多数収容される包装袋において、
一枚の包装材をその少なくとも一部が巻き重なるように四角筒状に巻いて周面を形成することにより、少なくとも周面の一面が包装材の複数枚巻き重なる部分として形成されており、
この巻き重なる部分のうち、最外面を構成する外側包装部分に内容物を表す外側物品表示印刷が施されるとともに、その内側に隣接する内側包装部分に前記外側包装部分と異なる印刷が施されているか又は印刷が施されていないことにより内容物を表す印刷が施されておらず、
前記外側包装部分のうち少なくとも前記外側物品表示印刷の全体及び前記外側包装部分の周方向の先端部を含む所定の分離領域を有しており、
前記分離領域外に前記外側包装部分と前記内側包装部分との固定部分が設けられるとともに、前記分離領域は前記内側包装部分に固定されていないか又は剥離可能に固定されており、
前記外側包装部分の周方向の先端部の全体又は一部が前記内側包装部分に固定されないことにより、前記外側包装部分の分離領域と前記内側包装部分の外面との間に指を挿入するための挿入口としての隙間が形成されており、
前記挿入口から指を挿入し前記分離領域の裏側に指を掛けて、前記分離領域を摘まんで又は掴んで引っ張ることにより、前記分離領域が、前記内側包装部分を残して包装袋から分離可能であるとともに、この分離領域を分離した状態で包装袋の外面に内容物を表す印刷が無い、
ことを特徴とする物品の包装袋。
【請求項２】
前後面および両側面からなる周面と、上下面とを有するほぼ六面体状をなし、物品が多数収容される包装袋において、
一枚の包装材を筒状に形成するとともにその周面の一部を周方向に折り畳むことにより、少なくとも周面の一面が包装材を３層以上積層した部分として形成されており、
この積層部分のうち、最外面を含む外側の二層部分からなる外側包装部分に内容物を表す外側物品表示印刷が施されるとともに、その内側に隣接する内側包装部分に前記外側包装部分と異なる印刷が施されているか又は印刷が施されていないことにより内容物を表す印刷が施されておらず、
前記外側包装部分のうち少なくとも前記外側物品表示印刷の全体及び前記外側包装部分の周方向の先端部を含む所定の分離領域を有しており、
前記分離領域外に前記外側包装部分と前記内側包装部分との固定部分が設けられるとともに、前記分離領域は前記内側包装部分に固定されていないか又は剥離可能に固定されており、
前記外側包装部分の周方向の先端部の全体又は一部が前記内側包装部分に固定されないことにより、前記外側包装部分の分離領域と前記内側包装部分の外面との間に指を挿入するための挿入口としての隙間が形成されており、
前記挿入口から指を挿入し前記分離領域の裏側に指を掛けて、前記分離領域を摘まんで又は掴んで引っ張ることにより、前記分離領域が、前記内側包装部分を残して包装袋から分離可能であるとともに、この分離領域を分離した状態で包装袋の外面に内容物を表す印刷が無い、
ことを特徴とする物品の包装袋。
【請求項３】
前記外側包装部分における前記分離領域がミシン目により前記包装袋から切り離し可能とされている、
請求項１又は２記載の物品の包装袋。
【請求項４】
吸収性物品が多数収容される包装袋である、
請求項１〜３のいずれか１項に記載の物品の包装袋。
【発明の詳細な説明】
【技術分野】
【０００１】
本発明は、使い捨ておむつや生理用ナプキン等の吸収性物品を多数収容して販売するのに適した物品の包装袋に関する。
【背景技術】
【０００２】
多数枚の吸収性物品の包装形態として、ガセット袋が一般に使用されている。さらに、近年においては、一袋単位の吸収性物品の収納枚数を多くするために、吸収性物品を圧縮状態で包装するいわゆる圧縮（コンパクション）包装が汎用されている。また、持ち運びに便利なように、把手部を形成したり、手提げバンドを別に付けたりしたものも市販されている。
包装袋の主に前後面等には、袋内に収容されている吸収性物品の会社名や商品名、商品の絵や写真、使用方法、サイズ表記（Ｓ、Ｍ、Ｌ、ＢＩＧサイズ等）、模様等が印刷されており、消費者はこの印刷により商品を選び、購入している。
包装袋の上面や側面には開封用のミシン目が設けられており、ユーザーはこの開封用ミシン目を切り離すことにより袋を開口させ、中に収容されている吸収性物品を順番に取り出して使用するといった形態が一般に採用されている。この場合、包装袋は内容物がなくなるまで保管収納用として用いられる。
このような商品、特に生理用ナプキンや中人用若しくは大人用使い捨ておむつ等の一部の商品においては、購入してから持ち帰るまでの間、どのような商品であるか他人に知られたくないというユーザー要望が少なからず存在している。このような要望に対して、従来は購入時に紙袋のような不透明な袋に入れて持ち帰るといった対応が取られている。
しかし、購入時に新たな紙袋に入れる手法は、生理用ナプキンのようなパッケージサイズの小さい商品ならまだしも、使い捨ておむつのようにパッケージが大きいものでは用い難い。また、作業も煩雑となる。この問題に対して、包装袋の外面における内容物表示印刷を省略する、又は目立たない程度に小さくするといった解決手段も考えられるが、商品陳列における告知効果が無くなってしまう。
また、包装袋を保管収納用として使用する場合、外観は商品告知効果よりも、装飾性に優れている方が望ましいが、そのような要望に対しては装飾性に優れた袋や容器に移し替える他なかった。
【先行技術文献】
【特許文献】
【０００３】
【特許文献１】特開平１１−１０００４５号公報
【発明の概要】
【発明が解決しようとする課題】
【０００４】
そこで、本発明の主たる課題は、包装袋外面における物品表示印刷を含む部分を容易且つ確実に他の状態に変更できる、物品の包装袋を提供することにある。
【課題を解決するための手段】
【０００５】
上記課題を解決した本発明は次記のとおりである。
＜請求項１記載の発明＞
前後面および両側面からなる周面と、上下面とを有するほぼ六面体状をなし、物品が多数収容される包装袋において、
一枚の包装材をその少なくとも一部が巻き重なるように四角筒状に巻いて周面を形成することにより、少なくとも周面の一面が包装材の複数枚巻き重なる部分として形成されており、
この巻き重なる部分のうち、最外面を構成する外側包装部分に内容物を表す外側物品表示印刷が施されるとともに、その内側に隣接する内側包装部分に前記外側包装部分と異なる印刷が施されているか又は印刷が施されていないことにより内容物を表す印刷が施されておらず、
前記外側包装部分のうち少なくとも前記外側物品表示印刷の全体及び前記外側包装部分の周方向の先端部を含む所定の分離領域を有しており、
前記分離領域外に前記外側包装部分と前記内側包装部分との固定部分が設けられるとともに、前記分離領域は前記内側包装部分に固定されていないか又は剥離可能に固定されており、
前記外側包装部分の周方向の先端部の全体又は一部が前記内側包装部分に固定されないことにより、前記外側包装部分の分離領域と前記内側包装部分の外面との間に指を挿入するための挿入口としての隙間が形成されており、
前記挿入口から指を挿入し前記分離領域の裏側に指を掛けて、前記分離領域を摘まんで又は掴んで引っ張ることにより、前記分離領域が、前記内側包装部分を残して包装袋から分離可能であるとともに、この分離領域を分離した状態で包装袋の外面に内容物を表す印刷が無い、
ことを特徴とする物品の包装袋。
＜請求項２記載の発明＞
前後面および両側面からなる周面と、上下面とを有するほぼ六面体状をなし、物品が多数収容される包装袋において、
一枚の包装材を筒状に形成するとともにその周面の一部を周方向に折り畳むことにより、少なくとも周面の一面が包装材を３層以上積層した部分として形成されており、
この積層部分のうち、最外面を含む外側の二層部分からなる外側包装部分に内容物を表す外側物品表示印刷が施されるとともに、その内側に隣接する内側包装部分に前記外側包装部分と異なる印刷が施されているか又は印刷が施されていないことにより内容物を表す印刷が施されておらず、
前記外側包装部分のうち少なくとも前記外側物品表示印刷の全体及び前記外側包装部分の周方向の先端部を含む所定の分離領域を有しており、
前記分離領域外に前記外側包装部分と前記内側包装部分との固定部分が設けられるとともに、前記分離領域は前記内側包装部分に固定されていないか又は剥離可能に固定されており、
前記外側包装部分の周方向の先端部の全体又は一部が前記内側包装部分に固定されないことにより、前記外側包装部分の分離領域と前記内側包装部分の外面との間に指を挿入するための挿入口としての隙間が形成されており、
前記挿入口から指を挿入し前記分離領域の裏側に指を掛けて、前記分離領域を摘まんで又は掴んで引っ張ることにより、前記分離領域が、前記内側包装部分を残して包装袋から分離可能であるとともに、この分離領域を分離した状態で包装袋の外面に内容物を表す印刷が無い、
ことを特徴とする物品の包装袋。
【０００６】
（作用効果）
本発明によれば、物品の購入時や使用時に、最外面を構成する外側包装部分のうち少なくとも外側物品表示印刷の全体を含む所定の分離領域を、その内側に隣接する内側包装部分を残して包装袋から分離することで、当初の封状態を維持したまま、外側物品表示印刷を有する部分の外観を内側包装部分に変更することができる。この際、後述するように内側包装部分に内容物を表す印刷を施さなければ、外側包装部分の分離領域を分離するだけで、内容物を他人に知られなくすることができ、また内側包装部分に装飾性に優れた模様や絵等を印刷しておけば、外側包装部分の分離領域を分離するだけで、装飾性に優れた外観を有する包装袋となり、持ち帰り用及び使用時の保管用として好ましいものとなる。
また、このような構造であると、この種の包装袋として汎用されているガセット袋と同様の設備を利用して、製造及び内容物の充填を機械的に連続実施できるため好ましい。
【０００７】
なお、内容物を表す印刷とは、例えば会社名や商品名、商品の絵や写真、使用方法、サイズ表記（Ｓ、Ｍ、Ｌ、ＢＩＧサイズ等）等のように、それを見ただけで内容物が判別可能である印刷部分を意味し、これらを囲む額縁状の線や模様、地色等のように、それを見ただけでは内容物が判別できない印刷部分は含まない。
【０００８】
＜請求項３記載の発明＞
前記外側包装部分における前記分離領域がミシン目により前記包装袋から切り離し可能とされている、
請求項１又は２記載の物品の包装袋。
【０００９】
（作用効果）
このような構造とすることにより、挿入口から分離領域の裏側に指を掛けて、分離領域を摘まんで又は掴んで引っ張ることにより、分離領域をミシン目で切り離すことができるため、外観状態の変更作業が容易となる。
【００１０】
【００１１】
【００１２】
＜請求項４記載の発明＞
吸収性物品が多数収容される包装袋である、
請求項１〜３のいずれか１項に記載の物品の包装袋。
【００１３】
（作用効果）
前述したように、吸収性物品は購入してから持ち帰るまでの間、どのような商品であるか他人に知られたくないというユーザー要望が少なからず存在しているため、このような物品の包装袋の場合、内側包装部分に内容物を表す印刷を施さずに、外側包装部分における分離領域を分離した状態で包装袋の外面に内容物を表す印刷が無くなるように構成（つまり、包装材が二重に形成されていない面を有する場合にはその面にも内容物を表す印刷を施さない）し、外側包装部分の分離領域を分離するだけで、内容物を他人に知られなくするのが好ましい。
【発明の効果】
【００１４】
以上のとおり本発明によれば、包装袋外面における物品表示印刷を含む部分を容易且つ確実に他の状態に変更できるようになる、等の利点がもたらされる。
【図面の簡単な説明】
【００１５】
【図１】吸収性物品を詰めいれた状態の包装袋の斜視図である。
【図２】外側包装部分を剥がす途中の状態の包装袋の斜視図である。
【図３】図１のＡ−Ａ断面図である。
【図４】図１のＢ−Ｂ断面図である。
【図５】包装袋の展開図である。
【図６】別の形態を示す包装袋の斜視図である。
【発明を実施するための形態】
【００１６】
以下、図面に示す実施の形態に基づいて本発明をさらに詳説する。図１〜図５は、本発明に係る包装袋１を示している。この包装袋１はいわゆる側面折り込み型のガセット袋であり、筒状に形成した包装材の幅方向両端をそれぞれ長手方向に沿う折り目２ｃにより各々内側に折り込んでまちを形成し、かつ所定長に切断した上端部７（図示例では上端部７の上端縁と下端縁）を融着または接着等によりシールしたものである。包装時には物品は下端部８から挿入し、下端部８の上端縁（下端部８と下面６との境界線）をシールして、丸みを帯びたほぼ直方体形状の包装袋となる。これにより左右側面２，２、前面３、後面４、上面５および下面６が形成される。また、上下端縁をシールして形成された上端部７には左右方向中央部に前後方向に手を通すための手掛け孔９が形成されている。もちろん、本発明の包装袋はこの形態に限定されるものではなく、図６に示すようにシート状の包装材を２つ折りにし、この折り目５ｃを内側に折り込んでまちを形成し、両側部をシールした上面折り込み型のガセット袋とし、上面５側に縦面（両側面２，２および前後面３，４）から延びるリブ部３２を形成し、この前後リブ部３２，３２に、手提げループ３０，３０の各両端部を融着等の適宜の結合手段により取付けた形態や、この形態から前後リブ及び手提げループを省略した形態（図示略）等、適宜の形態を採用することができる。このような上面折り込み型のガセット袋では、包装時には物品は下端部８から挿入し、下端部８上端縁（下端部８と下面６との境界線）をシールして、丸みを帯びたほぼ直方体形状の包装袋となる。
【００１７】
包装袋１の内部には吸収性物品１００が適宜の配列状態で収容されている。例えば使い捨ておむつや生理用ナプキン等は、身体側表面を形成する透液性トップシートと、外面側に位置する液不透過性シートとの間に吸収体が介在する部分である吸収性本体部と、この吸収性本体部の両側縁からそれぞれ延出する部分であって、且つ吸収体を有しない部分であるサイドフラップとを有するものである。中でも、止着式使い捨ておむつやパンツ式使い捨ておむつの場合は、吸収性本体部ならびにサイドフラップ部の外面全体が外装部により形成され、外装部が所謂おむつカバーのように着用者の下腹部から臀部にかけての胴回り及び股間部全体を覆うようになっている。このような吸収性物品１００は、小さいものは折り畳まれずに包装されるが、大きいものは前後を合わせるような２つ折りまたは前後それぞれを中央にあわせるような３つ折りされて包装されることが一般的であり、場合によっては４つ折り以上に折り畳まれて包装されることもある。（なお、パンツ式使い捨ておむつは、前身頃と後身頃の両側部が接合されるため、製品状態で２つ折りされている。）また、サイドフラップ部が大きい場合は、各サイドフラップは吸収体側部近傍に沿って内側に折り畳まれる。吸収性物品１００の包装においては、通常はこのような吸収性物品１００を多数枚集合し、平面部を合わせるように重ねて圧縮した集合体を包装している。この場合、おむつの平面方向が包装袋１の側面と平行になるように包装するのが好ましいが、おむつの前後方向は、包装袋１の上下方向あるいは奥行き方向のいずれに沿うようになっていてもよい。
【００１８】
包装袋１の素材としては、ポリエチレン（ＰＥ）、ポリプロピレン（ＰＰ）、ポリエチレンテレフタレート（ＰＥＴ）、ナイロンなど、通常包装に使用されるプラスチックフィルムを単体で又は複合素材として使用することができる。吸収性物品の分野では、ポリエチレンフィルムが汎用されているため好ましく、中でも柔軟性に富むＬＤＰＥ（低密度ポリエチレン：密度０．９００〜０．９２５ｇ／ｃｍ3）やＭＤＰＥ（中密度ポリエチレン：密度０．９２５〜０．９４０ｇ／ｃｍ3）が好適である。フィルムの厚みとしては、５０〜１００μｍ程度が好適である。包装袋の素材はプラスチックフィルムが一般的であるが、紙や不織布等のシート材、またこれらを複合したシート材を用いてもよい。
【００１９】
（特徴部分について）
特徴的には、図１及び図３に示すように、包装袋１における前面３、右側面２、及び後面４が包装材を二重にして形成されており、このうち外側包装部分１ｘに内容物を表す外側物品表示印刷１０が施されるとともに、内側包装部分１ｉに外側包装部分１ｘと異なる印刷２０が施されており（又は印刷が施されていなくても良い）、図２に示すように、外側包装部分１ｘのうち少なくとも外側物品表示印刷１０の全体を含む所定の分離領域１２（図示例では前面３、右側面２、及び後面４の略全体）が、ミシン目１１の切離しにより、内側包装部分１ｉを残して包装袋１から完全に分離除去可能とされている。したがって、物品の購入時や使用時に、外側包装部分１ｘの分離領域を、内側包装部分１ｉを残して包装袋１から分離することで、当初の封状態を維持したまま、外側物品表示印刷１０を有する部分の外観を内側包装部分１ｉに変更することができる。
【００２０】
包装袋１に対する印刷は、本発明の範囲内で適宜定めることができるが、特に、外側包装部分１ｘが二重に形成されていない面Ｓを有する場合にはその面、及び内側包装部分１ｉに内容物を表す印刷を施さないことにより、外側包装部分１ｘの分離領域を分離するだけで、内容物を他人に知られなくすることができる。また、図示例のように、内側包装部分１ｉに装飾性に優れた模様や絵等の印刷２０を施しておけば、外側包装部分１ｘの分離領域１２を分離するだけで、装飾性に優れた外観を有する包装袋１となり、持ち帰り用及び使用時の保管用として好ましいものとなる。
【００２１】
分離領域１２を設ける面は、外側物品表示印刷１０範囲に応じて適宜定めることができ、図示例のように周面のうちの三面とする他、周面全体、又は袋全面としたり、あるいは図６に示すように全面等の一面としたりすることができる。また、分離領域１２の寸法は、外側物品表示印刷１０の全体を含む限り、額縁状の線や模様、地色等のように、それを見ただけでは内容物が判別できない印刷部分の一部又は全体を含むようにしても、或いは全く含まないようにしても良い。
【００２２】
分離領域１２は、ミシン目１１により分離可能とすることができる。また、分離領域１２を剥離可能に固定するために、分離領域１２を粘着剤や弱い溶着により点状や、線状、面状等の適宜のパターンで内側包装部分１ｉ表面に剥離可能に固定したり、分離領域１２外の部分を点状や、線状、面状等の適宜のパターンで強く溶着するとともに分離領域１２内を非固定又は剥離可能に固定したりすることができる。このように、外側包装部分１ｘは分離領域１２が分離可能である限り、他の部分は分離できない構成としても良い。
【００２３】
包装材の二重領域は、全体を構成する内側包装部分１ｉの一部又は全体に、外側包装部分１ｘを張り付けることにより形成するのではなく、図３（ａ）に示すように、一枚の包装材をその少なくとも一部が巻き重なるように四角筒状に巻いて周面を形成し、かつその周面の巻き重なり部分Ｗを二重領域として利用すると、好ましい。この場合の展開図は図５に示されるようになる。
【００２４】
また、図３（ｂ）に示すように、一枚の包装材を筒状に形成した後、その一部を断面Ｚ字状等に折り畳み、素材を３層以上積層した部分Ｔを形成し、この積層部分Ｔの外側の二層部分及びその内側に隣接する一層部分をそれぞれ外側包装部分１ｘ及び内側包装部分１ｉとしても良い。この例からも分るように、包装材の重なり部分の積層数は特に限定されない。
【００２５】
さらに、外側包装部分１ｘの分離領域１２と前記内側包装部分１ｉの外面との隙間に指を挿入するための挿入口１３が設けられていると、挿入口１３から分離領域１２の裏側に指を掛けて、分離領域１２を摘まんで又は掴んで引っ張ることにより、分離領域１２をミシン目１１で切り離すことができるため、外観状態の変更作業が容易となる。この挿入口１３は、外側包装部分１ｘにスリットや孔を形成するのではなく、図３（ａ）に示される例のように、外側包装部分１ｘの周方向の端部の略全体（一部でも良い）を内側包装部分１ｉに固定せずに隙間を形成し、この隙間を挿入口１３とすると、スリット等の加工を施さなくても良いため好ましい。
【００２６】
他方、外側包装部分１ｘの印刷１０、及び内側包装部分１ｉの印刷２０の両者が外面から視認可能であると、印刷が見難くなり商品価値が低下するため、少なくとも外側包装部分１ｘの素材の地色、あるいは印刷の背景色により、外側包装部分１ｘの全光線透過率を７５％以下とし、外側包装部分１ｘを通して内側包装部分１ｉの印刷２０が実質的に見えない構成とするのが好ましい。
【産業上の利用可能性】
【００２７】
本発明は、使い捨ておむつ、生理用ナプキン等の吸収性物品の包装袋に好適なものである。
【符号の説明】
【００２８】
１…包装袋、１ｘ…外側包装部分、１ｉ…内側包装部分、２…側面、３…前面、４…後面、５…上面、６…下面、７…上端部、８…下端部、９…手掛け孔、１０…外側物品表示印刷、１１…ミシン目、１２分離領域、２０…内側包装部分の印刷。
【図１】
0005933167.tif 000002
【図２】
0005933167.tif 000003
【図３】
0005933167.tif 000004
【図４】
0005933167.tif 000005
【図５】
0005933167.tif 000006
【図６】
0005933167.tif 000007